(57)【要約】【課題】本発明は、可撓性に優れる板バネ及びこれを用いた音声コイルモーターを提供する。【解決手段】本発明に係わる音声コイルモーターの板バネは、一つの固定フレーム及び前記固定フレームに沿って内部に向かって引き伸ばす少なくとも一つのスプリング・アームを備え、前記固定フレームは、少なくとも一つの接続部を備え、スプリング・アーム毎は、一つのスプリング・アーム本体及び一つのカーブ部を備え、前記カーブ部は、前記スプリング・アーム本体の一端に設置され、且つ前記固定フレームの一つの接続部に接続したり、又は前記スプリング・アーム本体から前記固定フレームの内部に向かって引き伸ばす一端に設置される。【選択図】図３
2009100595.tif 000002
【特許請求の範囲】
【請求項１】
一つの固定フレーム及び少なくとも一つのスプリング・アームを備え、前記固定フレームは、少なくとも一つの第一接続部を備え、スプリング・アーム毎は、一つのスプリング・アーム本体及び一つの第一カーブ部を備え、前記第一カーブ部は、前記スプリング・アーム本体の一端に設置され、且つ前記固定フレームの一つの第一接続部に接続したり、又は前記スプリング・アーム本体から前記固定フレームの内部に向かって引き伸ばす一端に設置されることを特徴とする音声コイルモーターの板バネ。
【請求項２】
前記スプリング・アームは、前記スプリング・アーム本体の他端に設置される第二カーブ部を更に備え、前記第一カーブ部と前記第二カーブ部は対向配置され、其の中、前記第一カーブ部は、前記スプリング・アーム本体の一端に設置され、且つ前記固定フレームの一つの第一接続部に接続し、前記第二カーブ部は、前記スプリング・アーム本体から前記固定フレームの内部に向かって引き伸ばす一端に設置されることを特徴とする請求項１に記載の板バネ。
【請求項３】
前記スプリング・アーム本体、前記第一カーブ部及び前記第二カーブ部は、一体成型したり又は前記スプリング・アーム本体と前記第一カーブ部は一体成型することを特徴とする請求項２に記載の板バネ。
【請求項４】
前記第一カーブ部と前記第二カーブ部の曲げ方法が相反であることを特徴とする請求項２に記載の板バネ。
【請求項５】
前記固定フレームの第一接続部は、一つの円孔、ねじ又はねじ穴構造であることを特徴とする請求項１に記載の板バネ。
【請求項６】
前記第二カーブ部は、前記第二接続部に接続し、前記第二接続部は、一つの円孔、ねじ又はねじ穴構造であることを特徴とする請求項２に記載の板バネ。
【請求項７】
前記スプリング・アーム本体は、直線形状、規則的なカーブ波状、規則的な四角形波状、不規則的な波状であることを特徴とする請求項１に記載の板バネ。
【請求項８】
一つの外フレーム、一つの移動素子及び少なくとも一つの板バネを備え、前記外フレームは、少なくとも一つの第一接続ホルダを備え、前記移動素子は、前記外フレームの内部に設置され、且つ前記外フレームの内部で前記外フレームに対して移動することができ、前記移動素子は、少なくとも一つの第二接続ホルダーを備え、前記板バネは、一つの固定フレーム及び少なくとも一つのスプリング・アームを備え、前記固定フレームは、少なくとも一つの第一接続部を備え、スプリング・アーム毎は、一つのスプリング・アーム本体及び一つの第一カーブ部を備え、前記第一カーブ部は、前記スプリング・アーム本体の一端に設置され、且つ前記固定フレームの一つの第一接続部に接続してから、前記第一接続部を介して、前記外フレームの一つの第一接続ホルダに接続したり、又は前記スプリング・アーム本体から前記固定フレームの内部に向かって引き伸ばす一端に設置され、且つ一つの第二接続ホルダに接続することを特徴とする音声コイルモーター。
【請求項９】
前記スプリング・アームは、前記スプリング・アーム本体の他端に設置される一つの第二カーブ部を更に備え、前記第一カーブ部と前記第二カーブ部は対向配置され、其の中、前記第一カーブ部は、前記スプリング・アーム本体の一端に設置され、且つ前記固定フレームの一つの第一接続部に接続してから、前記第一接続部を介して、前記外フレームの一つの第一接続ホルダに接続し、前記第二カーブ部は、前記スプリング・アーム本体から前記固定フレームの内部に向かって引き伸ばす一端に設置され、且つ前記第二接続ホルダに接続することを特徴とする請求項８に記載の音声コイルモーター。
【請求項１０】
前記スプリング・アームは、一つの第二接続部を更に備え、前記第二カーブ部は、前記第二接続部に接続してから、前記第二接続部を介して、前記移動素子の一つの第二接続ホルダに接続することを特徴とする請求項９に記載の音声コイルモーター。
【請求項１１】
前記スプリング・アーム本体、前記第一カーブ部及び前記第二カーブ部は、一体成型したり又は前記スプリング・アーム本体と前記第一カーブ部は一体成型することを特徴とする請求項８に記載の音声コイルモーター。
【請求項１２】
前記外フレームの第一接続ホルダと前記移動素子の第二接続ホルダは、別々に突柱又はねじ穴構造であることを特徴とする請求項８に記載の音声コイルモーター。
【請求項１３】
前記外フレームの第一接続ホルダと前記第一接続部を互いに接続する方法及び前記移動素子の第二接続ホルダと前記第二接続部を互いに接続する方法は、ねじとねじ穴が互いに螺合する方法又はゴムで粘着する方法を備えることを特徴とする請求項１０に記載の音声コイルモーター。
【請求項１４】
前記第一カーブ部と前記第二カーブ部の曲げ方法が相反であることを特徴とする請求項９に記載の音声コイルモーター。
【請求項１５】
前記第一接続部及び前記第二接続部は、別々に一つの円孔、ねじ又はねじ穴構造であることを特徴とする請求項１０に記載の音声コイルモーター。
【請求項１６】
前記スプリング・アーム本体は、直線形状、規則的なカーブ波状、規則的な四角形波状、不規則的な波状であることを特徴とする請求項８に記載の音声コイルモーター。
【請求項１７】
前記移動素子は、カメラレンズ、カメラレンズホルダ又は磁気ヘッドなどであることを特徴とする請求項８に記載の音声コイルモーター。
【発明の詳細な説明】
【技術分野】
【０００１】
本発明は、音声コイルモーターの板バネに関するものであり、又前記板バネを用いた音声コイルモーターに関するものである。
【背景技術】
【０００２】
音声コイルモーター（Ｖｏｉｃｅ  Ｃｏｉｌ  Ｍｏｔｏｒ，ＶＣＭ）は、体積が小さく、電気消耗量が少なく、作動変位が精確で、価格も安いなどの美点を有するため、電子製品の短距離アクチュエーターとすることに適し、例えば、携帯電話の制動モーター、磁気ヘッドの光学アクチュエータ、カメラのオートフォーカス装置などである。しかし、前記音声コイルモーターの作動/復元変化速度は、電子製品のややもすると数ミリ秒の変化速度に比べて割りに遅くて、前記音声コイルモーターの中に少なくとも一つのスプリングを加えることにより、作動/還元速度を加速する。
【０００３】
図１は、カメラのオートフォーカスに用いられる従来の音声コイルモーターの構成を示す分解図である。前記音声コイルモーターは、上カバー１００と、下カバー１０５と、外フレーム１１０と、レンズホルダ１２０及び二つの板バネ１３０を備える。前記二つの板バネ１３０は、前記外フレーム１１０の両端に固定設置され、前記レンズホルダ１２０を前記外フレーム１１０の内に限定することに用いられる。前記外フレーム１１０の四周にマグネット１１５が設置されている。前記レンズホルダ１２０の上にコイル１２５を固定し、前記コイル１２５に対して異なる方向の電流を印加する時、前記コイル１２５が生じる磁場と前記マグネット１１５の磁場は、互いに吸い込んだり又は互いに排斥し、従って前記レンズホルダ１２０を動かして、上に向かって運動したり又は下に向かって運動する。
【０００４】
図２は、前記板バネ１３０の構成を示す平面図である。前記板バネ１３０は、一つの固定フレーム１３１と、四つのスプリング・アーム１３２及び一つの移動フレーム１３３を備える。二つの板バネ１３０の二つの固定フレーム１３０は、別々に前記外フレーム１１０の両端に固定され、二つの移動フレーム１３３は、前記レンズホルダ１２０の両端に固定される。前記スプリング・アーム１３２は、前記固定フレーム１３１と前記移動フレーム１３３との間に接続する。前記固定フレーム１３１と、四つのスプリング・アーム１３２及び移動フレーム１３３は、一体成型され、且つ同じな平面に位置する。
【０００５】
前記スプリング・アーム１３２に弾性変形が発生すると、それと前記固定フレーム１３１及び前記移動フレーム１３３の接続所で受ける応力が最大で、もし前記レンズホルダ１２０に過剰な変位が生じると、前記接続所に過剰な応力が生じ、耐えることができないほどであって、従って前記スプリング・アーム１３２が弾性を失う。そのため、前記板バネ１３０は、可撓性に優れなく、実に改善する必要がある。
【発明の開示】
【発明が解決しようとする課題】
【０００６】
本発明の第一の目的は、可撓性に優れる板バネを提供することである。
【０００７】
本発明の第二の目的は、前記板バネを採用した音声コイルモーターを提供することである。
【課題を解決するための手段】
【０００８】
前記第一目的を達成するため、本発明に係わる音声コイルモーターの板バネは、一つの固定フレーム及び少なくとも一つのスプリング・アームを備え、前記固定フレームは、少なくとも一つの第一接続部を備え、スプリング・アーム毎は、一つのスプリング・アーム本体及び一つの第一カーブ部を備え、前記第一カーブ部は、前記スプリング・アーム本体の一端に設置され、且つ前記固定フレームの一つの第一接続部に接続したり、又は前記スプリング・アーム本体から前記固定フレームの内部に向かって引き伸ばす一端に設置される。
【０００９】
上述の構想によって、前記スプリング・アームは、前記スプリング・アーム本体の他端に設置される第二カーブ部を更に備え、前記第一カーブ部と前記第二カーブ部は対向配置され、其の中、前記第一カーブ部は、前記スプリング・アーム本体の一端に設置され、且つ前記固定フレームの一つの第一接続部に接続し、前記第二カーブ部は、前記スプリング・アーム本体から前記固定フレームの内部に向かって引き伸ばす一端に設置される。
【００１０】
前記第二目的を達成するため、本発明に係わる音声コイルモーターは、一つの外フレーム、一つの移動素子及び少なくとも一つの板バネを備え、前記外フレームは、少なくとも一つの第一接続ホルダを備え、前記移動素子は、前記外フレームの内部に設置され、且つ前記外フレームの内部で前記外フレームに対して移動することができ、前記移動素子は、少なくとも一つの第二接続ホルダーを備え、前記板バネは、一つの固定フレーム及び少なくとも一つのスプリング・アームを備え、前記固定フレームは、少なくとも一つの第一接続部を備え、スプリング・アーム毎は、一つのスプリング・アーム本体及び一つの第一カーブ部を備え、前記第一カーブ部は、前記スプリング・アーム本体の一端に設置され、且つ前記固定フレームの一つの第一接続部に接続してから、前記第一接続部を介して、前記外フレームの一つの第一接続ホルダに接続したり、又は前記スプリング・アーム本体から前記固定フレームの内部に向かって引き伸ばす一端に設置され、且つ一つの第二接続ホルダに接続する。
【００１１】
上述の構想によって、前記スプリング・アームは、一つの第二カーブ部及び一つの第二接続部を更に備え、前記第二カーブ部は、前記スプリング・アーム本体の他端に設置され、前記第一カーブ部と前記第二カーブ部は対向配置され、其の中、前記第一カーブ部は、前記スプリング・アーム本体の一端に設置され、且つ前記固定フレームの一つの第一接続部に接続してから、前記第一接続部を介して、前記外フレームの一つの第一接続ホルダに接続し、前記第二カーブ部は、前記第二接続部に接続してから、前記第二接続部を介して、前記移動素子の一つの第二接続ホルダに接続する。
【発明の効果】
【００１２】
本発明に係る板バネのスプリング・アームの両端は、皆一つのカーブ部を備え、前記カーブ部は、前記固定フレーム及び前記移動素子に接続することに用いられ、前記カーブ部は、前記スプリング・アームに弾性変形が発生するため生じる応力の部分を分担することができ、従って、前記スプリング・アームが割りに大きい応力に耐えることにして、前記板バネの可撓性を増加した。
【発明を実施するための最良の形態】
【００１３】
以下、図面を参照しながら、具体的な実施例を詳しく説明し、これにより、本発明の上述の目的と他の目的、特徴及び長所が、より容易に理解できる。
【００１４】
図３は、本発明の第一実施形態に係る音声コイルモーターの構成を示す分解図である。前記音声コイルモーターは、上カバー２００と、下カバー２０５と、外フレーム２１０と、移動素子２２０及び二つの板バネ２３０を備える。前記二つの板バネ２３０は、前記外フレーム２１０の両端に固定設置され、前記移動素子２２０を前記外フレーム２１０の内部に限定することに用いられる。前記外フレーム２１０の一つの端面の四角に別々に一つの第一接続ホルダ２１１が設置されている。前記移動素子２２０の一つの端面の四角に別々に一つの第二接続ホルダ２２１が設置されている。前記第一接続ホルダ２１１と前記第二接続ホルダ２２１は、別々に突柱又はねじ穴構造（図に示していない）であることができる。前記移動素子２２０は、カメラレンズ、カメラレンズホルダ又は磁気ヘッドなどであることができる。前記外フレーム２１０の四周にマグネット２１５が設置されている。前記移動素子２２０の上にコイル２２５を固定し、前記コイル２２５に対して異なる方向の電流を印加する時、前記コイル２２５が生じる磁場と前記マグネット２１５の磁場は、互いに吸い込んだり又は互いに排斥し、従って前記移動素子２２０を動かして、前記外フレーム２１０の内部で前記外フレーム２１０に対して上に向かって運動したり又は下に向かって運動する。  
【００１５】
図４を一緒に参照してください、図３の中の板バネ２３０の構成を示す平面図である。前記板バネ２３０は、一つの四角形固定フレーム２３１及び四つのスプリング・アーム２３２を備える。前記固定フレーム２３１と前記四つのスプリング・アーム２３２は、基本的に同じな平面に位置する。前記固定フレーム２３１の四角に別々に一つの第一接続部２３１１が設置されていて、前記第一接続部２３１１は、一つの円孔、ねじ又はねじ穴構造（図に示していない）であることができる。前記スプリング・アーム２３２は、一つのスプリング・アーム本体２３２１と、前記スプリング・アーム本体２３２１の両端に位置する第一カーブ部２３２２及び第二カーブ部２３２３を備える。前記スプリング・アーム本体２３２１は、直線形状であって、それと前記第一カーブ部２３２２及び前記第二カーブ部２３２３は、平らで滑らかに移行して繋がり、且つ三者は一体成型する。前記第一カーブ部２３２２と前記第二カーブ部２３２３の曲げ方向が相反であって、第二カーブ部２３２３毎は、一つの第二接続部２３２４に対応的に接続し、前記第二接続部２３２４は、一つの円孔、ねじ又はねじ穴構造（図に示していない）であることができる。スプリング・アーム２３２毎の第一カーブ部２３２２は、皆前記固定フレーム２１０の一つの第一接続部２３１１に対応的に接続し、第一接続部２３１１毎は、皆前記外フレーム２１０の一つの第一接続ホルダ２１１に対応的に固定し、第二接続部２３２４毎は、皆前記移動素子２２０の一つの第二接続ホルダ２２１に対応的に固定し、上述の接続方法は、ねじとねじ穴が互いに螺合する方法又はゴムで粘着する方法を備える。
【００１６】
前記移動素子２２０が前記外フレーム２１０に対して移動する時、前記板バネ２３０の第二カーブ部２３２３も随って一緒に移動し、従って前記スプリング・アーム２３２に弾性変形が発生する。この時、前記スプリング・アーム２３２の第二カーブ部２３２３が曲げ形状であるため、それと前記スプリング・アーム本体２３２１の接続所で生じる応力の一部分は、前記カーブ部が引き受けることにより、前記板バネ２３０は、より大きい応力を引き受けることができ、可撓性に優れる。前記コイル２２５に電流が流れない時、前記マグネット２１５が前記移動素子２２０に対して生じる作用力が消えてなくなり、前記移動素子２２０は、前記スプリング・アーム２３２の弾力によって元の位置に帰る。
【００１７】
従来に技術に比べて、本発明の板バネ２３０のスプリング・アーム２３２の両端は、皆一つのカーブ部を備え、前記固定フレーム２３１及び前記移動素子２２０に接続することに用いられ、前記カーブ部は、前記スプリング・アーム２３２に弾性変形が発生するため生じる応力の一部分を分担することができ、従って前記スプリング・アーム２３２が割りに大きい応力を引き受けられることにして、前記板バネ２３０の可撓性を増加し、其の中、前記第一カーブ部２３２２と前記第二カーブ部２３２３の曲げ方向が相反したり又は同じであっても、皆類似する効果を有する。
【００１８】
なお、本発明の上述の実施形態において、前記板バネ２３０のスプリング・アーム２３２の両端の中の一端だけに一つのカーブ部を設置しても実施することができ、前記カーブ部は、前記スプリング・アーム本体２３２１の一端に設置することができ、且つ前記固定フレーム２３１の第一接続部２３１１に接続してから、前記第一接続部２３１１を介して、前記外フレーム２１０の第一接続ホルダ２１１に接続したり、又は前記スプリング・アーム本体２３２１から前記固定フレーム２３１の内部に向かって引き伸ばす一端に設置し、且つ前記第二接続ホルダ２３２４に接続する。
【００１９】
図５は、本発明の第二実施形態に係る板バネ３３０の構成を示す平面図である。前記第一実施形態に係る板バネ２３０と異なった点は、前記板バネ３３０のスプリング・アーム本体３３２１は、規則的なカーブ波状である。
【００２０】
図６は、本発明の第三実施形態に係る板バネ４３０の構成を示す平面図である。前記第一実施形態に係る板バネ２３０と異なった点は、前記板バネ４３０のスプリング・アーム本体４３２１は、規則的な四角形波状である。
【００２１】
図７は、本発明の第四実施形態に係る板バネ５３０の構成を示す平面図である。前記第一実施形態に係る板バネ２３０と異なった点は、前記板バネ５３０のスプリング・アーム本体５３２１は、不規則的な波状である。
【００２２】
本発明は、上述の実施形態に限定されるものではなく、例えば、前記固定フレームの形状は、円形、四角形などの他の形状であることができ、前記スプリング・アームの数量も四つに限定されるものではなく、一つ以上であることができ、ただ板バネを設計する時、其のスプリング・アームによって前記移動素子２２０を前記外フレーム２１０に対して移動させ、前記スプリング・アームが緩衝と復元に必要する弾力を生じることができると、実施することができる。
【００２３】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【図面の簡単な説明】
【００２４】
【図１】カメラのオートフォーカスに用いられる従来の音声コイルモーターの構成を示す分解図である。
【図２】図１の中の板バネの構成を示す平面図である。
【図３】本発明の第一実施形態に係る音声コイルモーターの構成を示す分解図である。
【図４】図３の中の板バネの構成を示す平面図である。
【図５】本発明の第二実施形態に係る板バネの構成を示す平面図である。
【図６】本発明の第三実施形態に係る板バネの構成を示す平面図である。
【図７】本発明の第四実施形態に係る板バネの構成を示す平面図である。
【符号の説明】
【００２５】
１００、２００  上カバー
１０５、２０５  下カバー
１１０、２１０  外フレーム
１１５、２１５  マグネット
１２０  レンズホルダ
１２１  接続ホルダ
１２５、２２５  コイル
１３０、２３０、３３０、４３０、５３０  板バネ
１３１、２３１  固定フレーム
１３２、２３２  スプリング・アーム
１３３  移動フレーム
２１１  第一接続ホルダ
２２０  移動素子
２２１  第二接続ホルダ
２３１１  第一接続部
２３２１、３３２１、４３２１、５３２１  スプリング・アーム本体
２３２２  第一カーブ部
２３２３  第二カーブ部
２３２４  第二接続部
【図１】
2009100595.tif 000003
【図２】
2009100595.tif 000004
【図３】
2009100595.tif 000005
【図４】
2009100595.tif 000006
【図５】
2009100595.tif 000007
【図６】
2009100595.tif 000008
【図７】
2009100595.tif 000009